Podtech/llm-jp-corpus-v4-ja_patent huggingface dataset:
(57)【要約】      （修正有）【課題】テープまたはロープを容易に取り出せスーツケースまたは手荷物の保全、補強、修繕が可能になる。飛行機搭乗時、スーツケースの施錠を拒否された場合ふたを閉じたままテープで貼り付ける。または袋が破れた場合、補強したい場合、すぐにテープまたはロープが必要になるが容易にケースを開けられずに不安のまま預けたり、不自由な思いをした。【解決手段】カバン又はスーツケース１の一部にテープまたはロープ３を取り出せる取出し口２をつける。【選択図】図２
0003119412.tif 000002
【実用新案登録請求の範囲】
【請求項１】
施錠の状態のまま内蔵された接着テープ（またはロープ）を取り出せる機能を
持ったカバン（スーツケース）。
【考案の詳細な説明】
【技術分野】
【０００１】
本考案は、カバンを開けないで必要な時に接着テープ（ロープ）を取り出せるように
取り出し口を設けたカバン。
【背景技術】
【０００２】
従来空港などでカバンや、紙袋などが壊れそうになったとか、こぼれそうになる
場合があり、補強や、開口部をふさぎたいと思うこともある。そのときに安易に
テープを取り出し、補強または開口をふさぐことができれば、当事者は早期に
問題解決ができる。
【０００３】
以前、私は接着テープをカバン外側に貼っておき、他人のカバンが壊れたときに
そのテープをはがして使用して急場をしのいだことがある。
しかしカバンの外観は良くない上、テープの量も限られる。
【０００４】
これらを解決するには、カバン内にテープを入れておきその先端をいつでも
引き出せるようにすること。
【特許文献１】登録実用新案３０６２１６９
【考案の開示】
【考案が解決しようとする課題】
【０００５】
解決しようとする問題点は、テープまたはロープをカバンに持参していながら
容易に使いないこと。
【課題を解決するための手段】
【０００６】
本考案は、カバン内のテープまたはロープをカバンを開けないで取り出し
使えるようにカバンの一部に取り出し口を設けること。
【考案の効果】
【０００７】
本考案の取り出し口のあるカバンを利用することにより、自分または同行者の
カバンや袋が壊れたときにすぐに補強、修理できる。とくに時間制約のある
手荷物検査時には早急に対応可能となる。
【考案を実施するための最良の形態】
【０００８】
カバンの形態には変化は無いが、カバンの４隅の一箇所にテープの通る
開口をあけ、その隅にテープ（ロープ）を入れて一端を開口部に接着しておく。
【図面の簡単な説明】
【０００９】
【図１】カバンの外観図でカバンの左下にテープ（ロープ）取り出し口を取り付けたもの。
【図２】カバンの左下の断面図でテープまたはロープが収納されている図。
【符号の説明】
【００１０】
１        スーツケース
２        テープ取り出し口
３        テープマタハロープ
【図１】
0003119412.tif 000003
【図２】
0003119412.tif 000004
【手続補正書】
【提出日】平成17年8月9日(2005.8.9)
【手続補正１】
【補正対象書類名】実用新案登録請求の範囲
【補正の内容】
0003119412.tif 000005
0003119412.tif 000006
0003119412.tif 000007
【手続補正書】
【提出日】平成17年12月6日(2005.12.6)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
カバン表面に接着テープ取り出し口を設け、施錠の状態のまま内蔵された接着テープを取り出せる機能を持ったカバン。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【技術分野】
【０００１】本考案は、カバンを開けないで必要なときに接着テープを取り出せるように取り出し口を設けたカバン。
【背景技術】
【０００２】従来空港などでカバンや、紙袋などが壊れそうになったとか、こぼれそうになる場合があり、補強や、開口部をふさぎたいと思うこともある。
そのときに持参のカバンから安易に接着テープを取り出し、補強または開口をふさぐことができるようになる。【０００３】以前、私は接着テープをカバン外側に貼っておき、他人のカバンが壊れたときにそのテープをはがして使用して急場をしのいだことがある。
しかしカバンの外観は良くない上、テープの量も限られる。【０００４】これらを解決するには、カバン内に接着テープを入れておきその先端をいつでも引き出せるようにすること。
【特許文献１】登録実用新案３０６２１６９
【考案の開示】
【考案が解決しようとする課題】
【０００５】解決しようとする問題点は、接着テープをカバンに常時内蔵し開錠せずに、それを使えるようにすること。
【課題を解決するための手段】
【０００６】本考案は、カバン内の接着テープをカバンを開けないで取り出し使えるようにカバンの一部に取り出し口を設けること。
【考案の効果】
【０００７】本考案の取り出し口のあるカバンを利用することにより、自分または同行者のカバンや袋が壊れたときにすぐに補強、修理できる。
とくに時間制約のある手荷物検査時には早急に対応可能となる。
【考案を実施するための最良の形態】
【０００８】カバンの形態には変化は無いが、カバンの４隅の一箇所に接着テープの通る開口をあけ、その隅に接着テープをいれて一端を開口部外面に接着しておく。
【図面の簡単な説明】
【０００９】
【図１】カバンの外観図でカバンの右下に接着テープ取り出し口を取り付けた図。
【図２】カバンの右下の断面図で接着テープが収納されている図。
【符号の説明】
【００１０】１  スーツケース
２  接着テープ取り出し口
３  接着テープ
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003119412.tif 000008
【図２】
0003119412.tif 000009
(57)【要約】【課題】フレームのツル部分を短く、耳かけ部分を無くす事で軽量かつコンパクト性を高める。【解決手段】本考案は眼鏡の耳かけ部分をなくし、ツルをこめかにから耳の手前までの長さにして先端を平らにすることを特徴とする。  ツルの長さは５ｃｍ〜１０ｃｍとしフレームとツルの接続部にバネを使用することによって、顔の側面にフイットする。  ツルの先端部にゲルマニウムや磁気を取り付けることを特徴とする眼鏡である。【選択図】図１
0003119491.tif 000002
【実用新案登録請求の範囲】
【請求項１】
耳かけ部分をなくし、ツルをこめかみから耳の手前までの長さにして先端を平らにすることを特徴とする眼鏡。
【請求項２】
前述のツルの長さは５ｃｍ〜１０ｃｍでありフレームとツルの接続部にバネを使用することを特徴とする請求項１記載の眼鏡。
【請求項３】
前述のツルの先端部にゲルマニウムや磁気を取り付けることを特徴とする請求項１又は２記載の眼鏡。
【考案の詳細な説明】
【技術分野】
【０００１】  本考案は、フレームのツル部分をこめかみから耳の手前までの長さにする事を特徴とした老眼鏡等コンパクトな眼鏡である。
【背景技術】
【０００２】  従来品は老眼鏡等、眼鏡を常時着用する必要のない使用者にとっては、携帯性等に煩わしさがあった。
【考案の開示】
【考案が解決しようとする課題】
【０００３】  従来品は老眼鏡等、眼鏡を常時着用する必要のない使用者にとって、鞄やケースへの出し入れ等の携帯性、ファッション性、髪型が崩れる等の煩わしさがある。  従って、フレームのツル部分を短く、耳かけ部分を無くす事で軽量かつコンパクト性を高め、前述の欠点を解決しようとするものである。
【課題を解決するための手段】
【０００４】  本考案の要旨とするところは、耳かけ部分をなくし、ツルをこめかみから耳の手前までの長さにして軽量かつコンパクト性を高め、ツルの先端を平らにした眼鏡である。【０００５】  また、本考案の要旨とするところは、前述のツルの長さを５ｃｍ〜１０ｃｍとし、フレームとの接続部にバネを用いる事で顔の側面にフィットさせる眼鏡である。【０００６】  また、本考案の要旨とするところは、前述のツルの先端部にゲルマニウムや磁気を取り付ける眼鏡である。
【考案の効果】
【０００７】  上記の様に、本考案のコンパクトな眼鏡は、耳かけ部分無しでも顔の側面にフィットする為、かけたい時にさっとかけられる携帯性、ファッション性に優れ、髪の乱れを気にしなくて良い等の煩わしさを軽減した男女共に使用可能な眼鏡となる。  また、ゲルマニウム等の効果により健康にも良く、老眼鏡や普通の眼鏡の両方に使用できる物となる。
【考案を実施するための最良の形態】
【０００８】  老眼鏡等、眼鏡のツル部分をこめかみから耳の手前までの長さにする。  また、耳かけ部分を無くしツルの先端部を平らにする。  フレームとツルの接続部にはバネを使用し、フィット感をたかめる。
【実施例】
【０００９】  以下、添付図面に従って実施例を説明する。  １は本考案の眼鏡本体、２は短くしたツル部分で長さは５〜１０ｃｍが好ましい、３は平らにしたツルの先端部であり従来の耳かけ部分を取り除いている。  先端部は３ａが６〜８ｍｍ、３ｂが８〜１０ｍｍとすることが好ましい。  フレームとツルの接続部である４にはバネを使用することが好ましく、顔の側面にフィットさせることが出来る。【００１０】  ツルの先端部３にはゲルマニウムや磁気を取り付けることにより健康にもよく、その他の装飾を施すことで、よりお洒落で気軽に老眼鏡や普通の眼鏡の両方に使用できる。
【図面の簡単な説明】
【００１１】
【図１】本考案の全体斜視図である。
【図２】本眼鏡のツル部分の拡大図である。
【符号の説明】
【００１２】１  眼鏡本体
２  ツル
３  ツル先端
４  接続部
【図１】
0003119491.tif 000003
【図２】
0003119491.tif 000004
(57)【要約】【課題】本考案は、雑草や虫類を簡単な方法で効果的に、その発生を抑制するため廃棄木材等のチップを利用して、自然環境の向上を提供するものである。【解決手段】座布団状に織り成す、ネット袋（１）に、シュレッダーした廃木材等の木材チップ（２）を詰込んでネット縫製機で封入して形成する。【選択図】図１
0003119492.tif 000002
【実用新案登録請求の範囲】
【請求項１】
座布団状に織り成す、ネット袋（１）に、シュレッダーした廃木材等の木材チップ（２）を詰込んでネット縫製機で封入して形成して成る、雑草発生抑制器具。
【考案の詳細な説明】
【技術分野】
【０００１】    本考案は、雑草や虫類等をより効果的に、その発生を抑制するために、廃棄木材のチップを利用して付加した、環境向上に寄与する技術に関するものである。
【背景技術】
【０００２】    従来、雑草は無機化学薬品の除草剤を使用したり、手作業等で草むしりを慣行していたので、環境等に悪影響を与えていたり、面倒な作業負担があったりで大変であった。
【考案の開示】
【考案が解決しようとする課題】
【０００３】    除草剤は、環境等に悪影響を与えるし、草刈り等は大変な作業負担を強いられる。
これら問題点を改善し、より最大の効果を成すために本考案はなされたのである。
【課題を解決するための手段】
【０００４】  これらの課題を解決する手段として、座布団形状に織り込んで形成した、ネット袋（１）に木材用シュレッダーで、様々のサイズに粉砕した廃木材の木材チップ（２）を、専用機のネット縫製機にて、このネット袋（１）に詰込んで封入して、座布団形状に形成する。またこの木材チップは、それぞれ異なるサイズに構成するのが良い。
そしてこのような構成であるから、使用する時には、座布団状の本考案を庭等の土の上に置いて、敷き詰めるだけでよい。
【考案の効果】
【０００５】  本考案は産業破棄物の廃材、端材の有効活用ができ、リサイクル利用で大いに環境社会に貢献する。雑草の駆除および発生抑制方法も、軽量で作業労力が極めて小さく、単純施工であり、効力は長時間に渡り持続する。さらに置くだけであるから施工場所を選ばず、風雨に飛ばされにくく、本考案は自然素材であるから長期間使用後には、自ら土壌に戻って行くので、絶大なるその特徴、効果を発揮する。
使用用途および利用場所は広範囲であり、一般家庭、公園、遊休地、農地、道路鉄道沿線、高速道路等、その利用価値は大きい。
【考案を実施するための最良の形態】
【０００６】  まず、本考案は破棄処分の木材を裁断機（３）で粉砕したものを庭等に盛って、放置してたが、そこの盛った部分だけ、雑草類や虫類が発生しない事を発見した。また、そこの木材が朽ちるまでの長時間、約２年間も有効であった。この現象を利用して本考案は、どのような施工方法が良いのか、その最良の形態を研究した結果、簡単施工で最大効果を得るには、座布団形状の、一定の厚みでプレート状に形成したものを、地面に敷き詰める方法がベストであった。つまり、ネット材等を座布団形状に織り込んだ、ネット袋（１）  を形成する。これに、様々な大きさに裁断粉砕した、廃棄木材の木材チップ（２）をネット袋（１）に充填して、縫製機で封入する。さらに、袋のカラーを変えることで、敷き詰める場所に融和させる工夫がベストである。
本考案はこのような構成であるから使用するときには、目的の地面に座布団を敷き詰める要領で、簡潔に並べるだけで良い。
【図面の簡単な説明】
【０００７】
【図１】      本考案の斜視図である。
【図２】      本考案の実施図である。
【符号の説明】
【０００８】      １  ネット袋
２  木材チップ
３  裁断機
【図１】
0003119492.tif 000003
【図２】
0003119492.tif 000004
(57)【要約】      （修正有）【課題】道路上の有料駐車場における違法の長時間駐車と無料駐車をなくす。【解決手段】駐車違反の車に傷を付けず、に車のフェンダーとタイヤの間に風船１を膨らませることにより駐車違反の目印とする。【選択図】図１
0003119409.tif 000002
【実用新案登録請求の範囲】
【請求項１】
車のフェンダーとタイヤの間に風船を入れてエアで膨らませることにより、車に傷をつけずに駐車違反の目的にすることを特徴とする駐車違反用風船とする
【考案の詳細な説明】
【技術分野】
【０００１】本考案は有料の道路駐車場で長時間又は無料駐車している車に料金を請求する事が出来る様にするものです
〔背景技術〕【０００２】駐車違反用風船はエアを抜くか破損しなければ取れない風船です
〔考案の開示〕
〔考案が解決しようとしている課題【０００３】駐車違反をなくし料金回収員の手数料を請求出来る様にするものです
〔課題が解決するための手段〕【０００４】駐車違反の車に傷を付けず、に車のフェンダーとタイヤの間に風船を膨らませることにより駐車違反の目印とする．
〔考案の効果〕【０００５】駐車違反が少なくなり料金回収員の手数料も請求出来る．
〔考案の実施する最良の形能〕【０００６】タイヤの上部にそった円形．
〔実施例〕【０００７】車のフェンダーとタイヤの間に容易におけてエアを入れて膨らませる．
【図面の簡単な説明】
【０００８】〔図１〕
エアの注入口を長くした風船に内ポケットを付けた垂れ幕をっけもの．
【符号の説明】
【０００９】１．風船本体
２．エアの注入口
３．エアキャップ
４．垂れ幕
５．内ポケット
【図１】
0003119409.tif 000003
【図２】
0003119409.tif 000004
【手続補正書】
【提出日】平成17年5月24日(2005.5.24)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
車のフェンダーとタイヤとの間を利用することを目的とするものです．タイヤの上に上に置いた風船にエアを入れることで車のフェンダーとタイヤとの間から取り出せないタイヤに添った立体形の風船にしたことを特徴とする「駐車違反用風船」
【手続補正２】
【補正対象書類名】明細書
【補正対象項目名】０００８
【補正方法】変更
【補正の内容】
〔０００８〕
〔図１〕エアの注入口を長くした垂れ幕の付いた立体形の風船．
〔図２〕図１の断面図．
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
駐車違反を目的とするものであってタイヤ上に置いた風船にエアを入れることで車のフェンダーとタイヤの間から取り出せないタイヤに添った立体形の風船にしたことを特徴とする駐車違反用風船．
(57)【要約】【課題】本考案は草刈機使用時、高速回転ローター切刃、ナイロンカッターに物体が接触しても飛ばない、土ぼこり、砂ぼこりが飛ばない草刈機を提供することにある。【解決手段】草刈機、回転ローター切刃、ナイロンカッター上部と側面部に透明合成樹脂（ビニール）カバーを設け、側面部は地面に接触する構成として提供する。【選択図】図  １
0003119405.tif 000002
【実用新案登録請求の範囲】
【請求項１】
草刈機、回転ローター切刃、ナイロンカッター上部と側面部に透明合成樹脂カバーを設けたことを特徴とする草刈機防塵カバー。
【考案の詳細な説明】
【技術分野】
【０００１】本考案は草刈機に関する。
【背景技術】
【０００２】従来、草刈機に構造点では利点もある。
特開平  ６−６２６３７        特開平１１−１５１０１８
特開２００３−１６９５１８
【考案の開示】
【考案が解決しようとする課題】
【０００３】しかしながら回転ローター切刃、ナイロンカッターの高速回転で、小石や雑草、小枝等の跳ねかいりを課題として、土ぼこり、砂ぼこりを飛ばすことで不利がある。
【課題を解決するための手段】
【０００４】本考案は、回転ローター切刃、ナイロンカッター上部と側面部に、素材が合成樹脂（透明ビニール）カバーを設け、側面部は地面に接触構成にすることで課題を解決手段とした。
【考案を実施するための最良の形態】
【０００５】図１に示すように、草刈機防塵カバーは高速回転ローター切刃、ナイロンカッター上部と側面部に素材が合成樹脂（透明ビニール）なので、高速回転切刃、ナイロンカッターの観察しながら作業ができる形態となる。【０００６】素材を合成樹脂（透明ビニール）カバーを設けることで、回転時、飛び散る物体の衝撃と衝撃音が激減で草刈機使用に安定性ができる。【０００７】草刈機防塵カバーの側面部を地面に接触構成にすることで、土ぼこり、砂ぼこりを飛ばさず環境にもよい草刈機ともなる。
【考案の効果】
【０００８】本考案に係る草刈機防塵カバー使用で、小石、小枝、雑草等の跳ね乗離もなく、土ぼこり、砂ぼこりも飛ばさず、環境にもよく、防塵カバーの素材が合成樹脂（ビニール）で物体が追突しても衝撃が激減、草刈機使用にも安定性が確保できる。カバーが透明で回転ローター部の切刃、ナイロンカッター部を観察しながら作業できる。
【図面の簡単な説明】
【図１】本考案に係る草刈機防塵カバーの工程図である。
【符号の説明】
１    草刈機（刈払機）
２    切刃、ナイロンカッター
３    防塵カバー（合成樹脂、ビニール素材）
４    防塵カバー骨組
５    ボルト
【図１】
0003119405.tif 000003
【手続補正書】
【提出日】平成16年10月15日(2004.10.15)
【手続補正１】
【補正対象書類名】実用新案登録請求の範囲
【補正対象項目名】全文
【補正方法】変更
【補正の内容】
【実用新案登録請求の範囲】
【請求項１】
草刈機、切刃にカバーを設けたことを特徴とする草刈機防塵カバー。
【手続補正書】
【提出日】平成17年3月4日(2005.3.4)
【手続補正１】
【補正対象書類名】実用新案登録請求の範囲
【補正対象項目名】全文
【補正方法】変更
【補正の内容】
【実用新案登録請求の範囲】
【請求項１】
草刈機に設けられる回転切刃後方に防塵カバーを被せて設けた草刈機防塵カバー。
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
草刈機ローター後方にカバーを被せたことを特徴とする草刈機の防塵カバー。
【手続補正書】
【提出日】平成17年10月17日(2005.10.17)
【手続補正１】
【補正対象書類名】実用新案登録請求の範囲
【補正対象項目名】全文
【補正方法】変更
【補正の内容】
【実用新案登録請求の範囲】
【請求項１】
回転ローター切刃にカバーを設けたことを特徴とする草刈機。
(57)【要約】      （修正有）【課題】ティッシュ箱自体に壁面ホルダーの役割を持たせたティッシュペーパーの箱を提供する。【解決手段】ティッシュ箱たての場合、底面に面した部分に半径１ｃｍと２ｃｍの半円の切り込み３．２を上下に入れ、横の場合も同じく、これは２ヶ所ずつ、半径１ｃｍと２ｃｍの半円の切り込み５．４を入れておく事によって、ピンの場合は１ｃｍの半円の部分３．３を開きそこにピン６をさす。マグネット７、テープ８の場合は２ｃｍの半円の切り込み部４．４のみを開き、ドーナツ状に開いた所にマグネット、テープ等で壁面に設置する。【選択図】図１
0003119410.tif 000002
【実用新案登録請求の範囲】
【請求項１】
ティッシュペーパーの箱自体に切り込みを入れ、  それを開く事に依って接着面を作り、従来のティッシュホルダーを使わずともほとんどの壁面に固定出来る。
それに依って狭い机、部屋、台所、洗面所と欲しいところに手軽に取り付け自由であり壁面に固定させる事に依ってティッシュか少なくなり軽くなると取ったときに箱までついてくるという煩わしさも解消できる。
もちろん従来通り置いて使う方法も可能である。
【考案の詳細な説明】
【技術分野】
【０００１】  本考案はティッシュ箱に切り込みをいれ、どこにでも設置できるティッシュ箱に関するものである。
【背景技術】
【０００２】  狭い机、部屋、台所、洗面所、クロス、板張り、冷蔵庫等磁気対応の剛質面に設置出来る。
【考案の開示】
【考案が解決しようとする課題】
【０００３】  従来ティッシュ箱を壁面に設置する場合はティッシュホルダーを壁面に設置してそこにはめ込むという事だったが、それではいくつものホルダーと壁面を傷付けてしまうが考案物件はそれのみで目的を達成出来る。
【課題を解消するための手段】
【０００４】  本考案はティッシュ箱の上下、左右に切り込みを入れるだけでほとんどの壁面に設置可能となる。壁面の種類に依って固定する物をピン、マグネット、両面テープもしくは、セロテープを使う。
【考案の効果】
【０００５】  どこにでも手軽に設置出来、壁面を傷付けにくく、何ヶ所でも設置出来る。
【考案の実施するための最良の形態】
【０００６】  ティッシュ箱たての場合、底面に面した部分に半径１ｃｍと２ｃｍの半円の切り込みを上下に入れ、横の場合も同じく、これは２ヶ所ずつ、半径１ｃｍと２ｃｍの半円の切り込みを入れておく事によって、ピンの場合は１ｃｍの半円の部分を開きそこにピンをさす。マグネット、テープの場合は２ｃｍの半円の切り込み部のみを開き、ドーナツ状に開いた所にマグネット、テープ等で壁面に設置する。
【実施例】
【０００７】  以下、添付図面に従って一実施例を説明する。図１は壁面の設置の仕方のパターン、図２はティッシュ箱本体の切り込み図である。たて向きで設置する場合で、ピンを用いて設置する時は３、３′を引き出して留め、マグネット、テープで設置する時は２、２′を引き出して上下共留めて固定する。横向きで設置する場合も同様であるが、設置部が２ヶ所ずつになる。【０００８】  本考案の実施例は上述の如き構成からなるものであるから、ティッシュ箱を勿論そのまま使う事が出来るが、切り込みを入れ開く事に依ってティッシュ箱自体に壁面に接着面を作る事が出来るのでホルダーは不要となる。
【図面の簡単な説明】
【０００９】
【図１】  本考案の壁面接着をしたときの正面図である。
【図２】  本考案の側面図及び接着面の展開図である。
【符号の説明】
【００１０】  １  ティッシュ箱本体
２  切り込み大部分（たて）
３  切り込み小部分（たて）
４  切り込み大部分（横）
５  切り込み小部分（横）
６  ピン
７  マグネット
８  両面テープ及びセロテープ
【図１】
0003119410.tif 000003
【図２】
0003119410.tif 000004
【手続補正書】
【提出日】平成17年5月27日(2005.5.27)
【手続補正１】
【補正対象書類名】実用新案登録請求の範囲
【補正対象項目名】全文
【補正方法】変更
【補正の内容】
【実用新案登録請求の範囲】
【請求項１】
ティッシュペーパーの箱自体に切り込みを入れ、それを開く事に依って接着面を作り、ティッシュホルダーを使わずともほとんどの壁面に固定出来る事を特徴とするティッシュペーパーの箱。
【手続補正書】
【提出日】平成17年9月7日(2005.9.7)
【手続補正１】
【補正対象書類名】実用新案登録請求の範囲
【補正対象項目名】全文
【補正方法】変更
【補正の内容】
【実用新案登録請求の範囲】
【請求項１】
ティッシュペーパーの箱自体に切り込みを入れ、それを開く事に依って接着面を作り、ティッシュホルダーを使わずとも壁面に固定出来る事を特徴とするティッシュペーパーの箱。
(57)【要約】【課題】花火が燃える時間が長く、安全性が極めて高い線香花火を提供する。【解決手段】線香花火は、下紙縒り体１と、上紙縒り体４と、尾結５と、を備えた紙縒り体７を有する。下紙縒り体１と上紙縒り体４との間には、火薬３が入れられた袋詰め火薬部２が設けられている。二つまたはそれ以上の上紙縒り体４は、らせん状に巻きつけられて紙縒り棒体６を形成している。【選択図】図１
0003119402.tif 000002
【実用新案登録請求の範囲】
【請求項１】
下紙縒り体(１)と、上紙縒り体(４)と、尾結(５)と、を備えている染色コピー紙製の紙縒り体(７)を具備している線香花火であって、
前記下紙縒り体(１)と前記上紙縒り体(４)との間に設けられた、火薬(３)が入れられている袋詰め火薬部(２)と、
二つまたはそれ以上の前記上紙縒り体(４)がらせん状に巻きつけられてなる紙縒り棒体(６)と、
を有することを特徴とする線香花火。
【請求項２】
前記紙縒り棒体(６)の正面および裏面の少なくとも正面に、綺麗なデザインを有しているシート(８)が貼り付けられていることを特徴とする請求項１に記載の線香花火。
【請求項３】
二つまたはそれ以上の前記紙縒り体(７)の前記尾結(５)の正面および裏面の少なくとも正面に、綺麗なデザインを有しているシート(９)が貼り付けられていることを特徴とする請求項１または２に記載の線香花火。
【考案の詳細な説明】
【技術分野】
【０００１】
本考案は花火に関し、特に、子供の遊びに供する線香花火に関する。
【背景技術】
【０００２】
祝祭日になると、子供を喜ばせるため大人は、よく子供に花火を買ってあげるが、現在、花火製造業者は、花火が燃える効果の増強、市場占有率の拡大および経済利益の追求のため、国の規定を守らずに花火に過量の火薬を添加している。これにより、花火の威力が大きければ大きいほど、安全性が低下することとなり、子供は花火で遊ぶ時に注意が不足がちとなるので、毎年多数の子供が花火遊びで負傷しており、さらに、火事を引き起こした場合もあり、子供、家庭、さらには国にも多大な損害を与えている。
【考案の開示】
【考案が解決しようとする課題】
【０００３】
本考案の目的は、花火が燃える時間が長く、安全性が極めて高く、その構成が新規であり、デザインが綺麗な線香花火を提供することである。
【課題を解決するための手段】
【０００４】
本実用新案の目的は、以下のようにして実現される。本考案の線香花火は、下紙縒り体と、上紙縒り体と尾結と、を備えている染色コピー紙製の紙縒り体を備えている。さらに本考案の線香花火は、下紙縒り体と上紙縒り体の間に設けられた、火薬が入れられている袋詰め火薬部と、二つまたはそれ以上の上紙縒り体がらせん状に巻きつけられてなる紙縒り棒体と、を有することを特徴とする。
【０００５】
本考案の線香花火においては、紙縒り棒体の正面および裏面の少なくとも正面に綺麗なデザインを有しているシートが貼り付けられているのが好ましい。
【０００６】
また、二つまたはそれ以上の紙縒り体の尾結の正面および裏面の少なくとも正面に綺麗なデザインを有しているシートが貼り付けられているのが好ましい。
【０００７】
本考案の線香花火は、紙縒り棒体を、二つまたはそれ以上の単独の紙縒り体の上紙縒り体をらせん状に一緒に巻きつけて構成しているため、単独の紙縒り体毎に火薬量を増加していない。これにより、子供が花火で遊ぶ際に、片手で紙縒り棒体を持ち、他の手で下紙縒り体に点火すれば、火花は下紙縒り体に沿って上に向かい袋詰め火薬部まで燃焼し、袋詰め火薬部に入れている火薬が燃えて、袋詰め火薬部から四方（２０cm以内）に、松果状、花状、ボタンが咲いているような色々に綺麗な火花が飛び出す。子供は見てとても楽しくなる。子供は、一つの袋詰め火薬部に入れている火薬が燃焼し終わってから、もう一つの下紙縒り体に点火しても良いし、同時に二つ又はそれ以上の下紙縒り体に点火しても良い。
【考案の効果】
【０００８】
本考案は、花火が燃える時間が長く、安全性が極めて高く、子供および環境に対して害を及ぼすことがなく、その構成が新規であり、デザインが綺麗であるという優れた点を有する新規な花火で、子供の遊びにとても適しているものである。
【考案を実施するための最良の形態】
【０００９】
以下、実施形態に基づいて、添付図面を参照しつつ、本実用新案をさらに詳しく説明する。
【００１０】
（実施形態１）
図１に示すように、実施形態１の線香花火は、下紙縒り体１と、上紙縒り体４と、尾結５と、を備えている染色コピー紙製の紙縒り体７と、下紙縒り体１と上紙縒り体４との間に設けられ火薬３が入れられている袋詰め火薬部２と、二つまたはそれ以上の上紙縒り体４がらせん状に巻きつけられてなる紙縒り棒体６とから構成されている。
【００１１】
（実施形態２）
実施形態２の構成は、基本的には実施形態１と同様であるが、異なる点は、図２に示すように、紙縒り棒体６の正面に綺麗なデザインを有しているシート８が貼り付けられており、または、正面と裏面に綺麗なデザインを有しているシート８が貼り付けられていることである。
【００１２】
（実施形態３）
実施形態３の構成は、基本的には実施形態１と同様であるが、異なる点は、図３に示すように、紙縒り棒体６の正面に綺麗なデザインを有しているシート８が貼り付けられており、または、正面と裏面に綺麗なデザインを有しているシート８が貼り付けられており、かつ、二つまたはそれ以上の紙縒り体７の尾結５の正面に綺麗なデザインを有しているシート９が貼り付けられており、または、正面と裏面に綺麗なデザインを有しているシート９が貼り付けられていることである。
【図面の簡単な説明】
【００１３】
【図１】本考案の実施形態１による線香花火の構成を示す図である。
【図２】本考案の実施形態２による線香花火の構成を示す図である。
【図３】本考案の実施形態３による線香花火の構成を示す図である。
【符号の説明】
【００１４】
１    下紙縒り体
２    袋詰め火薬部
３    火薬
４    上紙縒り体
５    尾結
６    紙縒り棒体
７    紙縒り体
８，９    シート
【図１】
0003119402.tif 000003
【図２】
0003119402.tif 000004
【図３】
0003119402.tif 000005
(57)【要約】      （修正有）【課題】不使用時に自立できる傘の提供。  【解決手段】  石突部の構造を単純化し単一部材で成型できるものにして、コストを抑えたもので自立を可能にする。また、傘の自立時の重心の偏りを解消するために、柄部を傘の中心軸を軸とした回転体とする。【選択図】図１
0003119490.tif 000002
【実用新案登録請求の範囲】
【請求項１】
石突き側を下に向けて倒立させることが可能な構造を有する傘であって、石突き部が傘の中心軸を軸中心として位置し、単一部材で構成されており、石突き部上端から下端に向かって徐々に広がっていくことで傘全体の倒立時の安定を得ることを特徴とする自立傘
【請求項２】
請求項１に記載の自立傘において、柄部が単一部材で構成されており、傘の中心軸を軸中心とした回転体で構成し重心の偏りをなくすことで、倒立時の安定を得ることを特徴とする自立傘
【考案の詳細な説明】
【技術分野】
【０００１】  本考案は、自立する傘に関するものである。
【背景技術】
【０００２】  自立する傘として機械仕掛けで石突部が放射状に開くものなどがあるが、構造的に複雑で壊れやすく、製造が容易でなく、またコストがかかるという問題点がある。
【考案の開示】
【考案が解決しようとする課題】
【０００３】  雨の日の外出時に屋内に入ったときや、乗り物での移動の際など、ささずに持ち歩くことが多い。その中でも、レジなどでの会計、電車へ乗車したとき、飲食店で座っているときなど、傘の置場に困ることが多い。また、傘を壁などに立てかけた場合にも、安定せず、すぐに倒れてしまうという問題点ある。【０００４】  今日までに、石突部が機械仕掛けで放射状に開くようになった構造の傘が提案されているが、構造的に単純で審美的、コスト的に優れたものは考案されていない。
【課題を解決するための手段】
【０００５】  構造を単純化しコストを抑えるために単一部材で成型できるもので自立を可能にする。また、傘自体の倒立時の重心バランスをよくするために、柄部を傘の中心軸を軸とした回転体とする。
【考案の効果】
【０００６】  単一部材で成型されているため、コストが抑えられる。複雑な操作なく感覚的に使用できる。
【考案を実施するための最良の形態】
【０００７】  図２に示すように傘本体からしたたった雨水で自立しているように見せることで、自然な印象を与える。【０００８】  図５に示すように傘の中心軸を軸とした回転体で重心のバランスもよく、もちやすくなっている。また雫の形状をとることで全体としての統一感を出している。
【図面の簡単な説明】
【０００９】
【図１】本考案の自立傘の全体を示す概略
【図２】石突き部の平面図
【図３】石突き部の正面図である。回転体を基本とした形状であるため側面図も同様にあらわれる。
【図４】柄部の平面図
【図５】柄部の正面図である。回転体であるため側面図も同様にあらわれる。
【図１】
0003119490.tif 000003
【図２】
0003119490.tif 000004
【図３】
0003119490.tif 000005
【図４】
0003119490.tif 000006
【図５】
0003119490.tif 000007
(57)【要約】      （修正有）【課題】通常のコンクリ−ト工事と同様の鉄筋取扱い及び製造コストの低減を可能にする熱収縮チュ−ブ被覆鉄筋を提供する。【解決手段】熱収縮チュ−ブの円筒内１に黒皮のままの鉄筋２を通した後、両端部をキャップ熱収縮チュ−ブ３で被覆し、加熱するまえの整形した熱収縮チュ−ブ被覆鉄筋４を台車に載せ、熱源を装備した簡易円筒加熱装置内で熱収縮チュ−ブが熱の照射を受けながら通過し、端部から順次収縮を行うことにより確実に熱収縮チュ−ブと鉄筋が密着一体化させる。これにより、熱収縮チュ−ブの硬質により通常の鉄筋コンクリ−ト工事の場合と同等の取扱いと製造コストの低減ができる。【選択図】図１
0003119487.tif 000002
【実用新案登録請求の範囲】
【請求項１】
熱収縮チュ−ブの円筒内に黒皮のままの鉄筋を通し、熱源を装備した簡易円筒加熱装置内で熱収縮チュ−ブが熱の照射をうけて収縮し、かくして熱収縮チュ−ブが鉄筋と密着一体化してなることを特徴とする熱収縮チュ−ブ被覆鉄筋。
【考案の詳細な説明】
【技術分野】
【０００１】  本考案は、黒皮のままの鉄筋に熱収縮チュ−ブを被覆した熱収縮チュ−ブ被覆鉄筋に関する。
【背景技術】
【０００２】  塩害対策の有効な方法として、鉄筋に防食加工を施すことが上げられる。現在「エポキシ樹脂塗装鉄筋を用いる鉄筋コンクリ−トの設計施工指針（案）土木学会」がある。しかしながら、施工時においては、塗膜に傷がつかないようにするため、通常の鉄筋コンクリ−ト工事の場合と異なりていねいな取扱いが要求されている。また、エポキシ樹脂塗装鉄筋は、サンドプラスト処理により鉄筋表面の黒皮を除去すると同時に、適度の表面粗さを付与した鉄筋を余熱してから、エポキシ樹脂の紛体塗料を塗装し、直ちに、２００℃前後の温度で塗膜を形成させるため製造コストが高くなることが欠点とされている。
【考案の開示】
【考案が解決しようとする課題】
【０００３】  エポキシ樹脂塗装鉄筋は鉄筋の紛体塗装加工による製造コストが高いこと、また塗膜に傷がつかないように取扱いに細心の注意が必要であることが欠点とされている。従って、黒皮のままの鉄筋と熱収縮チュ−ブの機能を組み合わせ、かつ簡易の製造工程により製造が可能となり前述の欠点を解決しようとするものである。
【課題を解決するための手段】
【０００４】  本考案は、熱収縮チュ−ブの円筒内に黒皮のままの鉄筋を通し、熱源を装備した簡易円筒加熱装置内で熱収縮チュ−ブが熱の照射をうけて収縮し、かくして熱収縮チュ−ブが鉄筋と密着一体するとともに、熱収縮チュ−ブの硬質により前述の問題点を解決している。
【考案の効果】
【０００５】  上述の様に、本考案の熱収縮チュ−ブの円筒内に黒皮のままの鉄筋を通し、熱源を装備した簡易円筒加熱装置内で熱収縮チュ−ブが熱の照射をうけて収縮し、かくして熱収縮チュ−ブが鉄筋と密着一体化するとともに、熱収縮チュ−ブの硬質により通常の鉄筋コンクリ−ト工事の場合と同等の取扱いと製造コストの低減の効果が発揮できる。
【考案を実施するための最良の形態】
【０００６】  本考案による熱収縮チュ−ブ被覆鉄筋であって、熱収縮チュ−ブの円筒内に黒皮のままの鉄筋を通し、熱源を装備した簡易円筒加熱装置内で熱収縮チュ−ブが熱の照射をうけて収縮し、かくして熱収縮チュ−ブが鉄筋と密着一体化することを特徴としている。
【実施例】
【０００７】  以下、添付図面に従って一実施例を説明する。図１は、φ１３ｍｍの熱収縮チュ−ブ１の円筒内に黒皮のままのφ１０ｍｍの異形鉄筋２を通したあと、両端部をキャップの熱収縮チュ−ブ３で被覆し、加熱まえの整形した熱収縮チュ−ブ被覆鉄筋４をつくる。【０００８】  図２は、熱収縮チュ−ブの設定温度に制御でき熱源を装備した簡易円筒加熱装置５の内部を台車６に加熱まえの整形した熱収縮チュ−ブ被覆鉄筋４を空隙が確保できるように複数本積み重ねた状態で収縮が完了する速度で通過させることにより、端部から収縮が順次始まり鉄筋と熱収縮チュ−ブとの間の空気が取り残されることなく順次に空気が押し出され、異形鉄筋のリブに沿って熱収縮チュ−ブが収縮し確実に鉄筋と密着一体化させることができる。【０００９】  コンクリ−ト構造物に使用する鉄筋の形状は、直線だけではなく、せん断補強鉄筋、定着部のフックさせた鉄筋、帯鉄筋等曲げ加工した形状のものが多く使用される。熱収縮チュ−ブ被覆した直線鉄筋を曲げ加工すると曲線部が破壊する可能性があるので、あらかじめ、素材鉄筋を加工した後に熱収縮チュ−ブを被覆した状態で熱を照射すれば形状通り熱収縮チュ−ブが追従し破損することなく鉄筋と密着一体化させることができる。【００１０】  熱収縮チュ−ブは、アルカリ、酸等耐薬品性、硬質性、絶縁性を保持したものを使用する。【００１１】  加熱する温度、加熱時間は、選定した熱収縮チュ−ブの温度特性を考慮する必要がある。
【図面の簡単な説明】
【００１２】
【図１】熱収縮チュ−ブ被覆鉄筋を示した側面図
【図２】加熱状況を示した側面図
【符号の説明】
【００１３】１  熱収縮チュ−ブ
２  鉄筋
３  キャップ熱収縮チュ−ブ
４  熱収縮チュ−ブ被覆鉄筋
５  円筒加熱装置
６  台車
【図１】
0003119487.tif 000003
【図２】
0003119487.tif 000004
(57)【要約】      （修正有）【課題】雨天時に傘を差したままで撮影しても、手ブレを防止することが出来る手ぶれ防止ブラケットの提供。【解決手段】カメラにブラケット１を３のネジにより取り付け、その端にある切り込み２を傘の柄に引っ掛けることにより、片手に傘を差したままでも手ブレを防止して撮影することに役立つ。【選択図】図１
0003119485.tif 000002
【実用新案登録請求の範囲】
【請求項１】
カメラ底部の三脚取り付け穴に、傘の柄に引っ掛ける切込みを入れた板を取り付け雨天時に傘を差したまま、片手で撮影しても手ブレを防止することができる、手ブレ防止ブラケットである。
【考案の詳細な説明】
【技術分野】
【０００１】  本考案は、片手に傘を差したまま、片手でも手ブレを防止して撮影できるブラケットに関するものである。
【背景技術】
【０００２】  雨天時には、傘を持っているため両手でカメラを保持できない。
【考案の開示】
【考案が解決しようとする課題】
【０００３】  雨天時に片手に傘を差したまま片手で撮影しようとすると、カメラの保持が不安定のために手ブレを起こしてしまう。両手でカメラを構えようとして、傘を肩や首・顎等で押さえようとすると傘が不安定なため、雨や傘の雫でカメラを濡らし故障の原因となる。従って片手に傘を差したままでも、片手で手ブレを起こさず撮影出来るようにしようとするものである。
【課題を解決するための手段】
【０００４】  本考案は、カメラ底部の三脚取り付け穴に板状のブラケットを取り付け、板の端には傘の柄に引っ掛けるための傘の柄の太さに応じた切込みを入れ、その部分を引っ掛けるように固定し、手ブレを防止する。
【考案の効果】
【０００５】  本考案のブラケットは、切込みを傘の柄に引っ掛けるだけの操作なので、片手で簡単に取り外しも出来、手ブレを防止することができる。
【考案を実施するための最良の形態】
【０００６】  ブラケットの傘の柄を引っ掛ける切り込みは、太い柄と細い柄の傘と兼用させるため、太い切り込みの中に更に細い切り込みを入れる。カメラへの取り付けネジ穴の位置は、各種カメラに対応できるようにネジ穴に連続した長い切り込みを作り、ブラケットを左右にスライド出来るようにする。
【実施例】
【０００７】  以下、添付図面に従って実例を説明する。
１は耐久性のプラスチック等適宜な素材で、２はブラケット本体の端に太い傘の柄に合う幅の切り込みａと細い柄の幅に合わせたサイズの切込みｂを作る、３は取り付けネジに合わせたネジ山を切った穴、４は３のネジ穴より細めの溝を切り込む、５取り付けネジは、指で締め付けできるよう、つまみ部分は太くし、ギザギザをつける。また、ネジの付け根部分は、切り込んだ溝の幅に合せ細めにすることで溝に沿ってスライドさせることが出来ネジの脱落防止にもなる。６はカメラとブラケットを密着させるためゴム状の物を貼るなど滑り止めを施す。【０００８】  ２の切り込みはやや斜めにすることで、傘の柄に押し当て易く安定し、取り外しも容易になる。
【図面の簡単な説明】
【００１０】
【図１】本考案手ブレ防止ブラケットの見取り図である。
【図２】本考案の使用方法で、１は太い柄の場合、２は細い柄の場合の図である。
【図３】全体像である。
【符号の説明】
【００１１】  １  ブラケット本体
２  傘の柄引っ掛けの切り込み
３  取り付けネジ挿入穴
４  スライド用溝
５  取り付けネジ
６  滑り止め
【図１】
0003119485.tif 000003
【図２】
0003119485.tif 000004
【図３】
0003119485.tif 000005
(57)【要約】      （修正有）【課題】タバコの吸煙時に、タバコから直接拡散してしまう排煙物質をフィルターにて吸収して大気中への拡散を減少させる為の簡敏な手段を提供する。【解決手段】  点火されたタバコをフィルターケースに収納して喫煙する。タバコからの排煙は、フィルターを経由して外気に拡散していく。一方、喫煙はフィルターケースのパイプ機能より出来る。【選択図】図３
0003119486.tif 000002
【実用新案登録請求の範囲】
【請求項１】
紙巻きタバコを喫煙するためのパイプと、該パイプに紙巻きタバコを装着した状態にして装着できるフィルタケースにて構成される喫煙具。
【請求項２】
紙巻きタバコを喫煙するためのパイプ機能を附加したフィルタケースにて構成される喫煙具。
【請求項３】
容量を変化させる機能を持ったフィルターケース。
【考案の詳細な説明】
【技術分野】
【０００１】紙巻タバコ（以下タバコと称す。）喫煙者自身の喫煙による有害物質の喫煙は、タバコ本体のフィルターや、フィルター付きパイプにより、多少の除去が普及している。しかし、タバコの喫煙に伴う点火中、吸引していないときにタバコより直接大気中に拡散される有害物質については、有効な対策がなかった。本考案はその１手段を提供するものである。
【背景技術】
【０００２】タバコはいったん火をつけると吸引以外の時、排煙は大気中に拡散されていく。大気中に拡散してしまうと、含まれる有害物質が周辺に害を付与してしまう。そして、その量は吸煙と比べてもかなり多い。吸煙時以外の排煙を除去する試みは大型を除いてあまりなかった。
【考案の開示】
【考案が解決しようとする課題】
【０００３】本考案は、タバコの吸煙時に、タバコから直接拡散してしまう排煙物質をフィルターにて吸収して大気中への拡散を減少させる為の簡敏な手段を提供するものである。
【考案が解決するための手段】
【０００４】点火されたタバコをパイプに装着して、パイプの先端部分を、フィルターケース内に装着してしまう。タバコからの発煙は、フィルターケース内に充満しつつ、その１部は換気する。その際、フィルターを経由して外気に拡散していくので、外気汚染は減少できる。一方喫煙はパイプより行うが、フィルターケース内に充満している排煙も同時に吸引対象になるので、パイプ自体にも強力なフィルター効果を持たせる。
【考案の効果】
【０００５】点火タバコの排煙は、フィルターを経由して外気に拡散していくので、このフィルター効果により大量の有害物質の外気拡散除去が可能になる。
【考案を実施するための最良の形態】
【０００６】通常、タバコは喫煙のため点火しても、燃え尽くすまで１０分内外である。そして、大部分の喫煙者は、僅かな量しか喫煙しない。
すなわち、パイプ側と、ケース側のフィルターは大気の喚起を抑えるので、内部は酸素不足になり自然に消火する。このことでも余分な排煙を中断できる。又、喫煙を継続していると喚起もされ、喫煙の継続が可能である。
【実施例】
【０００７】  図１は、パイプに符号１の紙巻タバコを装着した状況の図である。このパイプには、符号３のフィルター空間に、フィルタを装着すれば、喫煙者が有害物質の吸引も減少することが可能である。このようなパイプは、広く実用化されている。
符号１１のパイプ先端から符号４の吸煙口方向１０ｍｍ程度の部分の外形は円形が望ましい。この部分でフィルターケースと結合する。
図２は、フィルターケースの平面図と両側面図を示している。左側側面図に表示してあるが、符号５の比較的大きい換気口を設けてある。換気口には、符号６のフィルターを装着してある。本図では、反対側に符号４の円形のパイプの挿入口を設けてある。符号１０の挿入口の長さは１０ｍｍ程度で充分である。この部分はパイプの挿入口になる。
フィルターケース内の換気は、符号６のフィルターを通過して行われるので、フィルターケース内の空気は、これにより浄化される。
図３は、タバコ付きのパイプを、フィルターケースに装着した外観を示す。図において、符号９の開口部分は，符号８の蓋で閉じるのであるが、図では少しあけてある。その意味は、ここが開口部であり、この蓋で開閉出来ることを示すためである。
すなわち、喫煙時は蓋を閉め、清掃時や符号６のフィルター交換時に開ける必要がある。
喫煙するときは、点火したタバコをパイプに装着して、フィルターケースのパイプの挿入口、符号７より、フィルターケース内に挿入し、パイプの外側部分で挿入口に固定します。
ここで、請求項１は、パイプとフィルターケースが独立したものを想定しているが、このパイプの機能はあらかじめ、フィルターケースに一体化しておくことも当然考えられる。
請求項２はこの一体化したものを想定している。その場合、タバコは蓋をあけて、パイプ機能部分に装着します。
符号６のフィルタであるが、ちり紙等で試験したが、非常によく除去されていた。フィルターケースの容量であるが、２０本入りタバコの外形程度の大きさでも使用可能であった。もっとも、ゆっくりと喫煙される方は、容量の大き目なのが良い。
本説明では、タバコに火をつける期間の対策がない。フィルターケース内にライターとかの点火装置を附加すれば、尚、環境対策には優れるものになるであろう。
自然な消火も副産物であった。このように、非常に間便ながら、環境に与える効果は非常に大きい。また、吸殻もこの中に多少は保存可能なので、ごみ箱のない場合なども便利である。
また、フィルターケースの全体或いは、一部に内容量を変化させる手段を設けて、これを操作して、フィルターケース内の換気を実施して、喫煙時間を延長、小型化させることもできる。
それを請求項３にしている。
【産業上の利用可能性】
【０００８】  本考案は、非常に簡便ながら、環境に寄与する効果が大きい。本来なら、禁煙がもっとも望まれるのだろうが、習慣性喫煙を止めることは非常に困難である。次善の策として、本考案は大きく社会に貢献できる。寄って、産業上の利用可能性はきわめて大きいと考えられる。
【図面の簡単な説明】
【０００９】
【図１】パイプに紙巻タバコを装着した状況の断面図である。
【図２】左より、フィルターケースの左側側面図、平面図及び右側側面図である。
【図３】フィルターケースにパイプを装着した状態の図である。図において、符号９の開口部は符号８の蓋が少し開いた状態ですが、密閉して使用します。
【符号の説明】
【００１０】１．紙巻タバコの外形を示す。
２．パイプの外形を示す。
３．パイプ内のフィルター設置空間である。
４．パイプの吸煙口である。
５．フィルターケースの換気口である。
６．フィルターケースのフィルター設置場所である。
７．フィルターケースのパイプ挿入口である。
８．フィルターケースの開口部の蓋である。
９．フィルターケースの開口部である。
１０．フィルターケースのパイプ挿入口の長さである。
１１．パイプの先端部分
【図１】
0003119486.tif 000003
【図２】
0003119486.tif 000004
【図３】
0003119486.tif 000005
(57)【要約】      （修正有）【課題】特殊技術を必要とせず簡単に使用できる排水溝接合部手前の水溜まりをなくすための専用左官コテを提供する。【解決手段】  コテ面に、水溜りを出さないための水勾配を形成できる形状の段差と、簡単に均一な水勾配が形成できるよう型枠に押付けて均すことができる形状の段差を併せ持つことを特徴とする左官コテを使用する。【選択図】図１
0003119483.tif 000002
【実用新案登録請求の範囲】
【請求項１】
水勾配を必要とする床のコンクリート均し時に、排水溝側接合部手前において、勾配面から排水溝へ水が流れる角度の勾配が得られる形状と、勾配の形状を簡単かつ均一に得られるよう排水溝型枠天端に押付けて均すことができる形状をコテ面に併せ持つ段差加工を施してあることを特徴とする左官コテ。
【考案の詳細な説明】
【技術分野】
【０００１】  この考案は、建築工事における水勾配を有するコンクリート床のコンクリート打設時の均しに用いる左官コテの形状に関する。
【背景技術】
【０００２】  従来の水勾配のとり方は、図２に示すように排水溝型枠の天端（図２−１）もしくは型枠に打つレベル墨を水下基準とし、勾配床面を排水溝接合部（図２−３）まで均一角度で一般の平型左官コテ（図２−２）を用いた作業員の手作業で均す方法である。
また、図３に示すように、仕上げ工程には、排水溝接合部から１００ｍｍ程度の範囲（図３−１）は塗厚１ｍｍから２ｍｍ程度の塗布防水（図３−２）を施工する。その後、排水溝接合床先端より数ミリ手前の位置まで長尺シート（図３−３）を貼り付ける。長尺シートは防滑で撥水性の高い材質のものが頻繁に選ばれている。
【考案の開示】
【考案が解決しようとする課題】
【０００３】  外部に面するバルコニー、外廊下、駐車場や厨房等の勾配床における排水溝接合部手前は、水溜りができ易く、実際に水溜りに関するクレーム発生件数が多い箇所でもある。
しかしながら、以上の技術によれば、平型左官コテを用いて排水溝型枠の天端にコテを合わせて均しているため排水溝接合部手前の勾配（図２−４）がとり難く、また、作業員の手作業のため勾配が均一にとれず施工誤差で勾配がない部分や逆勾配の部分が発生する。
また、塗布防水厚により部分的に逆勾配の床段差（図３−４）や勾配がない箇所が発生し、その上に防滑で撥水性の高い長尺シートを貼り付ける。その長尺シートの材質は表面張力で水玉になり易いうえに防滑で水が流れにくい。したがって、排水溝接合部手前が全体勾配と同じ勾配で従来の施工方法をとっていれば僅かな施工誤差で雨水が溜まってしまう箇所（図３−５）が発生する。できてしまった水溜りは、粉塵発生を伴うコンクリート切削作業にて是正するが、その作業は環境面コスト面共に改善を要する作業であった。
そこで、この考案は、排水溝接合部手前の水溜りをなくすための専用左官コテを提供すること、およびその左官コテ使用に特殊技術を必要としない簡単さを課題とする。
【課題を解決するための手段】
【０００４】  以上の課題を解決するために、第一考案は、水勾配を必要とする床のコンクリート均し時に、排水溝側の勾配床面において勾配面から排水溝へ水が流れる角度の勾配が得られる形状と、勾配の形状を均一に得られるよう排水溝型枠天端に押付けて均すことができる形状をコテ面に併せ持つ段差加工を施してあることを特徴とする左官コテである。
【考案の効果】
【０００５】  第一考案によれば、図４に示すように、左官コテに水勾配が得られる形状１と型枠に段差を押付けて均すことができる形状２の段差加工を施したため、熟練した作業者でなくても余計な負担無く、かつ、溝型枠に沿って施工するため誤差なく均一な勾配床が施工できる。排水溝接合部手前の水勾配３が従来技術の水勾配４よりも少し急勾配で形成されるため、図５に示すように、塗布防水施工および長尺シート貼り付け後も排水溝先端部１に水溜りができない勾配床が施工できる。水溜りがないことは、歩行時の水溜りによる転倒や、湿気が残ることによるカビや苔の生育を防止することができる。
【考案を実施するための最良の形態】
【０００６】  この考案の一実施形態を、図１に示す。
左官コテの段差は、水勾配を成型する部分１と型枠に押付ける部分２から成り立っている。コテには型枠に押付ける部分２に対して垂直方向に持ち手３が設けられている。
【図面の簡単な説明】
【０００７】
【図１】  この考案の一実施形態を示す斜視図である。
【図２】  コンクリート打設時の従来技術を示す断面図および一部拡大図である。
【図３】  仕上げ工事時の従来技術を示す断面図および一部拡大図である。
【図４】  コンクリート打設時の考案技術を示す断面図および一部拡大図である。
【図５】  仕上げ工事時の考案技術を示す断面図および一部拡大図である。
【図１】
0003119483.tif 000003
【図２】
0003119483.tif 000004
【図３】
0003119483.tif 000005
【図４】
0003119483.tif 000006
【図５】
0003119483.tif 000007